(57)【要約】      （修正有）【課題】ゴミ、洗濯物、介護用身回品等を面倒なく分別して回収したり保管することができる、複数種の物品を場所を取らずに収容できる、収容袋等の小物を収納できる、汚れた場合には燃えるゴミとして処分できる、折畳み式なので収納性と保管性に優れているといった種々の機能を有する分別自在な収容箱を提供する。【解決手段】上方が開口部４になった箱本体１は胴部２と底部３とから構成してあり、開口部４を開閉自在に施蓋する蓋体５が設けてある。箱本体１の上縁１Ａに互いに離間して切欠き状の袋係止部６Ａ、６Ｂ、・・が複数形成してある。複数の袋係止部６Ａ、６Ｂ、・・に上端側７Ａを係脱可能に係合することにより箱本体１内に１個以上の収容袋７、８を収納してある。 【選択図】図１
0003113473.tif 000002
【実用新案登録請求の範囲】
【請求項１】
胴部と底部とから上方が開口部になった箱本体と、該箱本体の開口部を開閉自在に施蓋する蓋体とからなり、前記箱本体の上縁に互いに離間して切欠き状の袋係止部を複数形成し、該複数の袋係止部に上端側を係脱可能に係合することにより、前記箱本体内に１個以上の収容袋を収納して構成してなる分別自在な収容箱。
【請求項２】
蓋部により開閉可能な口部を側面に有する収容庫を、前記箱本体の下側に嵌脱可能に設けてあることを特徴とする請求項１記載の分別自在な収容箱。
【請求項３】
前記箱本体内の下部側に小収容部を画成し、該箱本体の側面に該小収容部に連通する取出し口を形成してあることを特徴とする請求項１記載の分別自在な収容箱。
【請求項４】
前記箱本体、収容庫及び小収容部は、ダンボール紙で構成してあることを特徴とする請求項３記載の分別自在な収容箱。
【請求項５】
前記箱本体、収容庫及び小収容部は、折畳み可能に構成してあることを特徴とする請求項３記載の分別自在な収容箱。
【考案の詳細な説明】
【技術分野】
【０００１】
本考案は、日常生活で排出される各種のゴミを分別して収容し、或いは洗濯物等を分別して収容することができる分別自在な収容箱に関する。
【背景技術】
【０００２】
所謂生活ゴミには可燃ゴミ、アルミ缶、スチール缶、壜、プラスチック類等種々のゴミがあるが、近年ゴミの分別化が法制化されたことから生活ゴミも種類に応じて分別して排出することが必要になった。しかし、ゴミには種々のものがあることから分別処分は面倒であるし、ゴミの種類に応じた数のゴミ箱を用意するには台所等に広い置き場所が必要であるという問題がある。
【０００３】
ごみを分別収納できるごみ箱として、キャスター付きの下部ラックに上に上部ごみ箱を重ねた状態で使用するごみ箱（特許文献１）、ゴミ箱の内部を２つに分かれていて、その一部が引出しになっているゴミ箱（特許文献２）が知られている。
【特許文献１】登録第１１３７１４４号意匠公報
【特許文献２】登録第３０４３５９７号実用新案公報
【考案の開示】
【考案が解決しようとする課題】
【０００４】
上述した従来技術のうち、下部ラックに上部ごみ箱を重ねた構成のごみ箱は、下部ラックのごみ入れ口が横に開口しているので、満杯になるまでゴミを入れることができないという容量の問題や、ごみ入れ口からゴミが落ちてしまうという欠点、上部ごみ箱は１種類のゴミしか収容できないという欠点がある。また、上部を投入式容器に、下部を引出し式容器にして内部を分けた構成のゴミ箱は、下部の容器を引出すためのスペースが必要であるという欠点、投入式容器は１種類のゴミしか収容できないという欠点がある。
【０００５】
本考案は上述した従来技術の諸欠点に鑑みなされたもので、ゴミ、洗濯物、介護用身回品等を面倒なく分別して保管や処分ができる、複数種の物品を場所を取らずに収容することができる、収容袋等の小物を収納できる、汚れた場合には燃えるゴミとして処分できる、折畳み式なので収納性と保管性に優れているといった種々の機能を有する分別自在な収容箱を提供することを目的とする。
【課題を解決するための手段】
【０００６】
上述した課題を解決するために構成された本考案の手段は、胴部と底部とから上方が開口部になった箱本体と、該箱本体の開口部を開閉自在に施蓋する蓋体とからなり、前記箱本体の上縁に互いに離間して切欠き状の袋係止部を複数形成し、該複数の袋係止部に上端側を係脱可能に係合することにより前記箱本体内に１個以上の収容袋を収納したものからなる。
【０００７】
そして、蓋部により開閉可能な口部を側面に有する収容庫を、前記箱本体の下側に嵌脱可能に設けた構成にするとよい。
【０００８】
また、前記箱本体内の下部側に小収容部を画成し、該箱本体の側面に該小収容部に連通する取出し口を形成した構成にするとよい。
【０００９】
更に、前記箱本体、収容庫及び小収容部は、ダンボール紙で構成するとよい。
【００１０】
更に、前記箱本体、収容庫及び小収容部は、折畳み可能に構成するとよい。
【考案の効果】
【００１１】
本考案は以上詳述した如く構成したから、下記の諸効果を奏する。
（１）箱本体内にゴミ等の物品を収容する１以上の収容袋を係脱可能に係止したから、物品の分別処分を面倒なく行うことができる。
（２）物品の種類に応じて区々の収容袋に収納するから、収納量に応じて個々の収容袋を取り出して新しい収容袋に交換することができる。
（３）箱本体の下に収容庫を設けることにより、空き缶、ペットボトル等のかさばる物品を分別して収容することができる。
（４）箱本体内に小収容部を画成したから、収容袋等の小物を散逸させることなく管理できるし、速やかに使用することができる。
（５）箱本体、収納庫等はダンボール紙で製作したから、使用に伴って汚れた場合は可燃ゴミとして廃棄することができるし、室内の美観を損なうことがない。
（６）折畳み式に構成してあるから、収納して保管する場合も場所を取らない。
【考案を実施するための最良の形態】
【００１２】
以下、本考案の実施の形態を図面に基づき詳述する。図において、1はゴミの収納容器となるダンボール紙製の箱本体を示し、該箱本体１はダンボール紙製の角筒状の内筒１Ａと外筒1Ｂを挿嵌して形成した材料により、前板２Ａ、後板２Ｂ、左右側板２Ｃ，２Ｄで形成した四角形の胴部２と、該胴部２の下部側に嵌合した底部３によって上方を開口部４とする有底の箱体に構成してある。そして、後板２Ｂの上縁側には、箱本体１の開口部４を開閉可能に施蓋する蓋体５が一体に形成してある。
【００１３】
６Ａ、６Ｂ、６Ｃ、６Ｄ、６Ｅ、６Ｆは前記箱本体１の上縁１Ａに縦方向に形成した６個の袋係止部で、該袋係止部６Ａ、６Ｂ、６Ｃ、６Ｄ、６Ｅ、６Ｆ（以下、場合により袋係止部６と総称する）は、後述するゴミ回収袋を係合し易いように略Ｙ字状の切り込みからなり、本実施の形態では箱本体１の四隅と前板２Ａ及び後板２Ｂの中間位置に夫々形成してある。
【００１４】
７はゴミを収容するための第１のゴミ回収袋で、該第１のゴミ回収袋７には日常生活でゴミの投棄に使用するために市販されているゴミ袋を使用している。そして、ゴミ袋７はその一側角隅の２個の袋係止部６Ａ、６Ｂと中央の２個の袋係止部６Ｅ、６Ｆに上端側７Ａを係脱可能に係止して箱本体１内に設けてあり、例えばティシュぺーパーやチラシ等の燃えるゴミＡを収容するのに使用している。８は同様にゴミ袋からなる第２のゴミ回収袋を示す。該第２のゴミ回収袋８は他側角隅の２個の袋係止部６Ｃ、６Ｄと、中央２個の袋係止部６Ｅ、６Ｆに係脱可能に係止して箱本体１内に設けてあり、例えばプラスチック製ゴミＢを入れる袋に使用している。
【００１５】
かくして、分別自在なゴミ箱は、箱本体２と、蓋体５と、６個の袋係止部６と、ゴミ回収袋７、８とから構成してある。
【００１６】
１１は箱本体１の下に嵌脱可能に設けた収容庫を示し、該収容庫１１は長方形の底板１２Ａと、該底板１２Ａの四辺から起立する前板１２Ｂ、後板１２Ｃ及び左右の側板１２Ｄ、１２Ｄと、天板１２Ｅとによって構成した箱体と、該箱体１２の一の側板１２Ｄに形成した口部１３とから構成してある。該口部１３は側板１２Ｄに冂状の切り込み１３Ａを形成し、下辺を折り曲げ辺１３Ｂとすることにより四角形の開口からなっており、側板１２Ｄの一部は冂状の蓋部１３Ｃになっている。そして、該蓋部１３Ｃには上辺に係止突片１３Ｄが設けてあり、上部寄りの位置に開閉用の指掛け穴１３Ｅが形成してある。
【００１７】
収容庫１１は上述の構成からなり、箱本体１の内筒１Ａに係止した状態で外筒１Ｂに嵌脱可能に嵌合してある。そして、収容庫１１には用途に応じて種々の物品、例えばティシュボックス等を収容することができるが、ゴミを収容する場合は空き缶、ペットボトル等の嵩張る物品Ｃを収容するのに向いている。
【００１８】
更に、２１は箱本体１内の下部側に画成した小収容部を示す。該小収容部２１は箱本体１を構成する底部３の一の長辺と一対の短辺の３辺に枠辺２２Ａ、２２Ｂ、２２Ｂを折り曲げて略コ字状に形成した枠部２２を収容庫１１の上面に位置して箱本体１内に嵌合し、箱本体１の前板２Ａに横長の取り出し口２３を形成することにより構成してある。
【００１９】
小収容部２１は上述の構成からなり、例えば収容袋７、８や紙タオルその他の小物の保管スペースとして使用するのに向いているが、用途に応じて種々のものを収容することができる。
【００２０】
更に、３１は移動用台で、該移動用台３１は前記収納庫２１を搭載できる長方形の底板３１Ａと、該底板３１Ａの上面の縁に設けた枠３１Ｂと、底板３１Ａの下面に設けた４個のキャスター３１Ｃ、３１Ｃ、・・とから構成してある。この移動台３１は常時使用してもよいが、必須のものではなく、狭いスペースに設置するために押したり引いたりすることが必要な場所での使用や、介護の仕事のように移動しながら作業をする場合に使用するのに好適である。
【００２１】
本実施の形態に係る分別自在な収容箱は上述の構成からなるもので、使用時には、袋係止部６にゴミ袋７、８の上端側を挟み込んで箱本体１内にゴミ袋７、８を設ける。各ゴミ袋７、８にはゴミＡ、Ｂを分別して捨てるが、満杯になったいずれかのゴミ袋７（８）は取り外して新しいゴミ袋７（８）と交換する。ゴミは種類によってその廃棄量や嵩が異なるが、このように２個のゴミ袋７（８）の各々は満杯になり次第廃棄して新しいゴミ袋７（８）に交換することにより、排出されるゴミの量の違いに関係なく効率的に分別処分することができる。
【００２２】
また、ゴミの収容に用いるゴミ袋７（８）は、箱本体１の下側に設けた小収容部２１内に収納しておくことにより、袋の交換作業を円滑に行うことができるし、袋の在庫を管理することができ、また袋が散逸することもない。
【００２３】
本実施の形態において、移動台３１を除く箱本体１、収納庫１１及び中仕切り２１は全てダンボール紙で製作してあるから、安い費用で製作できるし、使用に伴って汚れた場合には可燃ゴミとして処分することも可能である。尤も、ダンボール紙以外の材料、例えば金属板やプラスチック板で成形してもよい。
【００２４】
また、蓋体５と枠部２２を外した箱本体１及び収容庫１１は横方向から力を加えることにより扁平状に折畳むことができるので収納性に優れているし、折畳んだ状態で保管が可能であり、保管性に優れている。
【００２５】
なお、本実施の形態ではゴミを分別回収するゴミ箱を例に挙げて説明したが、例えば洗濯物や介護用品の分別収納等にも使用することができる。
【００２６】
また、箱本体１に２つの収容袋７、８を係止するために６個の袋係止部６を設けた構成にしたが、箱本体の大きさに応じて袋係止部６の数を増やし、３つ以上の収容袋を設ける構成にしてもよい。
【図面の簡単な説明】
【００２７】
【図１】本考案の実施の形態に係る分別自在なゴミ箱の斜視図である。
【図２】図１中のＩＩ−ＩＩ矢示方向断面図である。
【図３】図１中のＩＩＩ−ＩＩＩ矢示方向断面図である。
【符号の説明】
【００２８】
１        箱本体
１Ａ      上縁
２        胴部
３        底部
４        開口部
５        蓋体
６        袋係止部
７、８    ゴミ収容袋
１１      収容庫
１３      口部
１３Ｂ    蓋部
２１      小収容部
２３      取出し口
【図１】
0003113473.tif 000003
【図２】
0003113473.tif 000004
【図３】
0003113473.tif 000005